(57)【要約】【課題】非対面型のコミュニケーションにおいてより円滑な自動応答の実現を図ることが可能な、情報処理装置、情報処理方法、およびプログラムを提供する。【解決手段】非対面型のコミュニケーションにおける自動応答に関する設定を受け付け、受け付けた自動応答に関する設定に対応するパラメータへのパラメータの変更を制御するパラメータ制御部を備える、情報処理装置が提供される。【選択図】図８
2016134730.tif 000002
【特許請求の範囲】
【請求項１】
非対面型のコミュニケーションにおける自動応答に関する設定を受け付け、受け付けた前記自動応答に関する設定に対応するパラメータへのパラメータの変更を制御するパラメータ制御部を備える、情報処理装置。
【請求項２】
前記自動応答に関する設定には、話し方に関する設定が含まれ、
前記パラメータ制御部は、話し方に関するパラメータを、受け付けた話し方に関する設定に対応する話し方に関するパラメータに変更させる、請求項１に記載の情報処理装置。
【請求項３】
前記話し方に関する設定には、声のピッチ、声の強弱、および声の高低のうちの１または２以上の設定が含まれる、請求項２に記載の情報処理装置。
【請求項４】
前記話し方に関する設定には、アイコンタクトの頻度の設定が含まれる、請求項２に記載の情報処理装置。
【請求項５】
前記話し方に関する設定には、話し手の体型と話し手の姿勢との一方または双方の設定が含まれる、請求項２に記載の情報処理装置。
【請求項６】
前記話し方に関する設定には、ジェスチャの種類、ジェスチャの大きさ、ジェスチャが行われる速さのうちの、１または２以上の設定が含まれる、請求項２に記載の情報処理装置。
【請求項７】
前記話し方に関する設定には、口の開き方の設定が含まれる、請求項２に記載の情報処理装置。
【請求項８】
前記話し方に関する設定には、うなずきのタイミングとうなずきの頻度との一方または双方の設定が含まれる、請求項２に記載の情報処理装置。
【請求項９】
前記話し方に関する設定には、パラメータの調整に関する調整値の設定が含まれ、
前記パラメータ制御部は、前記調整値によってパラメータを調整し、話し方に関するパラメータを、調整されたパラメータに変更させる、請求項２に記載の情報処理装置。
【請求項１０】
前記話し方に関する設定には、話し方の型の設定が含まれ、
前記パラメータ制御部は、話し方に関するパラメータを、受け付けた前記話し方の型の設定に対応付けられている１または２以上のパラメータに変更させる、請求項２に記載の情報処理装置。
【請求項１１】
前記話し方の型は、話し手の属性ごとに設けられる、請求項１０に記載の情報処理装置。
【請求項１２】
前記話し方に関する設定に、前記話し方の型の設定が複数含まれる場合、
前記パラメータ制御部は、
受け付けた前記話し方の型の設定それぞれに対応付けられている１または２以上のパラメータのうちの対応するパラメータを、それぞれ混合し、
パラメータの混合が行われたときには、話し方に関するパラメータを、混合されたパラメータに変更させる、請求項１１に記載の情報処理装置。
【請求項１３】
前記自動応答に関する設定には、自動応答の有効化、無効化に関する設定がさらに含まれ、
前記パラメータ制御部は、前記自動応答の有効化、無効化に関する設定が、自動応答を有効化することを示さない場合、または、自動応答を無効化することを示す場合には、話し方に関するパラメータを、受け付けた話し方に関する設定に対応する話し方に関するパラメータに変更させない、請求項２に記載の情報処理装置。
【請求項１４】
話し方に関する設定に対応する話し方に関するパラメータは、話し方の手本となるデータの解析により得られるパラメータである、請求項１に記載の情報処理装置。
【請求項１５】
設定されているパラメータに基づいて、自動応答に関する処理を行う処理部をさらに備え、
前記処理部は、ユーザの応答の仕方を、設定されているパラメータに対応する応答の仕方に変化させる、請求項１に記載の情報処理装置。
【請求項１６】
前記処理部は、前記ユーザの応答の仕方の解析結果に基づいて自動応答に関する処理を開始するかを判定し、自動応答に関する処理を開始すると判定された場合に、自動応答に関する処理を行う、請求項１５に記載の情報処理装置。
【請求項１７】
前記処理部は、前記ユーザの応答の仕方の解析結果を示す値と、設定されている基準値との比較結果に基づいて、自動応答に関する処理を開始するかを判定し、
前記基準値は、前記ユーザの過去の応答の仕方の解析結果に対応する値である、請求項１６に記載の情報処理装置。
【請求項１８】
前記処理部は、前記ユーザの応答の仕方の解析結果を示す値と、設定されている基準値との比較結果に基づいて、自動応答に関する処理を開始するかを判定し、
前記基準値は、前記自動応答に関する処理の開始を判定するための閾値である、請求項１６に記載の情報処理装置。
【請求項１９】
非対面型のコミュニケーションにおける自動応答に関する設定を受け付け、受け付けた前記自動応答に関する設定に対応するパラメータへのパラメータの変更を制御するステップを有する、情報処理装置により実行される情報処理方法。
【請求項２０】
非対面型のコミュニケーションにおける自動応答に関する設定を受け付け、受け付けた前記自動応答に関する設定に対応するパラメータへのパラメータの変更を制御するステップをコンピュータに実行させるためのプログラム。
【発明の詳細な説明】
【技術分野】
【０００１】
本開示は、情報処理装置、情報処理方法、およびプログラムに関する。
【背景技術】
【０００２】
テレビ電話によるコミュニケーションや、Ｗｅｂなどのネットワークを介した通信によるコミュニケーション、携帯電話によるコミュニケーションなど、何らかの機械を介した非対面型のコミュニケーション（ＣＭＣ（Computer-Mediated  Communication））が行われる機会が増えている。このような中、非対面型のコミュニケーションを行っているユーザの動作を修正する技術が開発されている。非対面型のコミュニケーションを行っているユーザの動作を社会的に適切であるように修正する技術としては、例えば、下記の特許文献１に記載の技術が挙げられる。
【先行技術文献】
【特許文献】
【０００３】
【特許文献１】特開２００９−０７７３８０号公報
【発明の概要】
【発明が解決しようとする課題】
【０００４】
例えば特許文献１に記載の技術が用いられる場合には、記録済み画像を使用することや、仮想アバターの表示をデジタル合成すること、または、コミュニケーションを行っている対象のユーザに対して表示される画面を切り替えることによって、ユーザの動作が修正される。また、特許文献１に記載の技術が用いられる場合には、「あくび」などの多くのユーザが除外したいと思うであろうジェスチャが修正されるように、当該ジェスチャを、ユーザごとにカスタマイズ可能なパラメータとして設定することが可能である。よって、例えば特許文献１に記載の技術が用いられる場合には、ユーザにより設定されたジェスチャが行われたときに、記録済み画像を使用することなどによって当該ジェスチャが修正されるので、非対面型のコミュニケーションにおける自動応答を実現することができる可能性はある。
【０００５】
しかしながら、除外したいと思うであろうジェスチャがパラメータとして設定されてユーザの動作が修正されたとしても、非対面型のコミュニケーションにおけるより円滑な自動応答が実現できるとは限らない。
【０００６】
本開示では、非対面型のコミュニケーションにおいてより円滑な自動応答の実現を図ることが可能な、新規かつ改良された情報処理装置、情報処理方法、およびプログラムを提案する。
【課題を解決するための手段】
【０００７】
本開示によれば、非対面型のコミュニケーションにおける自動応答に関する設定を受け付け、受け付けた上記自動応答に関する設定に対応するパラメータへのパラメータの変更を制御するパラメータ制御部を備える、情報処理装置が提供される。
【０００８】
また、本開示によれば、非対面型のコミュニケーションにおける自動応答に関する設定を受け付け、受け付けた上記自動応答に関する設定に対応するパラメータへのパラメータの変更を制御するステップを有する、情報処理装置により実行される情報処理方法が提供される。
【０００９】
また、本開示によれば、非対面型のコミュニケーションにおける自動応答に関する設定を受け付け、受け付けた上記自動応答に関する設定に対応するパラメータへのパラメータの変更を制御するステップをコンピュータに実行させるためのプログラムが提供される。
【発明の効果】
【００１０】
本開示によれば、非対面型のコミュニケーションにおいてより円滑な自動応答の実現を図ることができる。
【００１１】
なお、上記の効果は必ずしも限定的なものではなく、上記の効果とともに、または上記の効果に代えて、本明細書に示されたいずれかの効果、または本明細書から把握されうる他の効果が奏されてもよい。
【図面の簡単な説明】
【００１２】
【図１】本実施形態に係る情報処理方法を説明するための説明図である。
【図２】本実施形態に係る情報処理方法を説明するための説明図である。
【図３】本実施形態に係る情報処理方法を説明するための説明図である。
【図４】本実施形態に係る情報処理方法を説明するための説明図である。
【図５】本実施形態に係る情報処理方法を説明するための説明図である。
【図６】本実施形態に係る情報処理方法を説明するための説明図である。
【図７】本実施形態に係る情報処理方法を説明するための説明図である。
【図８】本実施形態に係る情報処理装置の構成の一例を示すブロック図である。
【図９】本実施形態に係る情報処理装置のハードウェア構成の一例を示す説明図である。
【図１０】本実施形態に係る情報処理装置が備える処理部における処理の一例を説明するためのブロック図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
また、以下では、下記に示す順序で説明を行う。
１．本実施形態に係る情報処理方法
２．本実施形態に係る情報処理装置
３．本実施形態に係るプログラム
【００１５】
（本実施形態に係る情報処理方法）
本実施形態に係る情報処理装置の構成について説明する前に、まず、本実施形態に係る情報処理方法について説明する。以下では、本実施形態に係る情報処理方法に係る処理を、本実施形態に係る情報処理装置が行う場合を例に挙げて、本実施形態に係る情報処理方法について説明する。
【００１６】
［１］本実施形態に係る情報処理方法の概要
本実施形態に係る情報処理装置は、非対面型のコミュニケーションにおける自動応答に関する設定を受け付け、受け付けた自動応答に関する設定に対応するパラメータへのパラメータの変更を制御する（パラメータ設定制御処理）。以下では、本実施形態に係る非対面型のコミュニケーションにおける自動応答に関する設定を、「自動応答に関する設定」と示す。
【００１７】
また、本実施形態に係る情報処理装置は、設定されているパラメータに基づいて、自動応答に関する処理を行う（実行処理）。本実施形態に係る自動応答に関する処理としては、ユーザの応答の仕方を、設定されているパラメータに対応する応答の仕方に変化させる処理が挙げられる。本実施形態に係る自動応答に関する処理の一例については、後述する。
【００１８】
なお、本実施形態に係る実行処理は、本実施形態に係る情報処理装置において行われることに限られず、本実施形態に係る情報処理装置の外部装置において行われてもよい。
【００１９】
図１は、本実施形態に係る情報処理方法を説明するための説明図であり、本実施形態に係る情報処理方法に係る処理が行われることにより実現されるユースケースの一例を示している。ここで、図１は、ユーザＵ１と、ユーザＵ２とが、水平方向よりも垂直方向の長さが長い表示画面を利用したテレビ電話によりコミュニケーションを行っている例（非対面型のコミュニケーションの一例）を示している。
【００２０】
例えば図１のＡに示すように、ユーザＵ１が表示画面ではない方向を向いた場合（いわゆる、余所見をした場合）を想定する。
【００２１】
例えば本実施形態に係る情報処理方法に係る処理などの処理が何ら行われない場合には、ユーザＵ２側の表示画面には、図１のＢに示すように、余所見をしたユーザＵ１が表示される。
【００２２】
これに対して、本実施形態に係る情報処理方法に係る処理が行われた場合には、ユーザの応答の仕方が、設定されているパラメータに対応する応答の仕方に変化される。よって、本実施形態に係る情報処理方法に係る処理が行われた場合には、例えば図１のＣに示すように、正面を向いた笑顔のユーザＵ１が表示画面に表示されるなど、設定されているパラメータに対応する応答の仕方が実現される。
【００２３】
自動応答により例えば図１のＣに示すような応答の仕方が実現されることによって、ユーザＵ１のコミュニケーションの相手であるユーザＵ２に伝わる印象を操作することが可能となる。よって、本実施形態に係る情報処理方法に係る処理が行われることによって、非対面型のコミュニケーションにおいてより円滑な自動応答の実現を図ることができる。
【００２４】
［２］本実施形態に係る情報処理方法に係る処理
次に、本実施形態に係る情報処理方法に係る処理について、より具体的に説明する。以下では、本実施形態に係る情報処理装置が、本実施形態に係る情報処理方法に係る処理として、パラメータ設定制御処理、および実行処理を行う場合を主に例に挙げる。
【００２５】
（１）パラメータ設定制御処理
本実施形態に係る情報処理装置は、非対面型のコミュニケーションにおける自動応答に関する設定を受け付け、受け付けた自動応答に関する設定に対応するパラメータへのパラメータの変更を制御する。
【００２６】
本実施形態に係る“受け付けた自動応答に関する設定に対応するパラメータへのパラメータの変更”としては、受け付けた自動応答に関する設定に対応するパラメータを新規に設定することや、設定されているパラメータを、受け付けた自動応答に関する設定に対応するパラメータへと更新することが挙げられる。本実施形態に係る情報処理装置は、例えば、受け付けた自動応答に関する設定に対応するパラメータを、記録媒体に記録することによって、受け付けた自動応答に関する設定に対応するパラメータを新規に設定する。また、本実施形態に係る情報処理装置は、例えば、記録媒体に記憶されているパラメータ（設定されているパラメータの一例）を、受け付けた自動応答に関する設定に対応するパラメータへと更新する。
【００２７】
本実施形態に係る情報処理装置は、例えば、自動応答に関する設定を行うことが可能な設定画面に対するユーザの操作に基づいて、自動応答に関する設定を受け付ける。本実施形態に係る設定画面の一例については、後述する。
【００２８】
ここで、本実施形態に係る自動応答に関する設定としては、例えば、下記の（１−１）、（１−２）に示す設定が挙げられる。
【００２９】
（１−１）話し方に関する設定
自動応答に関する設定には、話し方に関する設定が含まれる。自動応答に関する設定として話し方に関する設定を受け付けた場合には、本実施形態に係る情報処理装置は、話し方に関するパラメータを、受け付けた話し方に関する設定に対応する話し方に関するパラメータに変更させる。
【００３０】
本実施形態に係る話し方に関する設定としては、例えば下記の（Ａ）〜（Ｇ）に示す例が挙げられる。
【００３１】
（Ａ）声のピッチ、声の強弱、および声の高低のうちの１または２以上の設定
（Ｂ）アイコンタクトの頻度の設定
（Ｃ）話し手の体型と話し手の姿勢との一方または双方の設定
（Ｄ）ジェスチャの種類、ジェスチャの大きさ、ジェスチャが行われる速さのうちの、１または２以上の設定
（Ｅ）口の開き方の設定
（Ｆ）うなずきのタイミングとうなずきの頻度との一方または双方の設定
（Ｇ）上記（Ａ）〜（Ｆ）に示す設定の２以上の組み合わせ
【００３２】
なお、本実施形態に係る話し方に関する設定は、上記（Ａ）〜（Ｇ）に示す例に限られない。
【００３３】
例えば、話し方に関する設定には、話し方の型の設定が含まれていてもよい。本実施形態に係る話し方の型としては、例えば、下記に示すような話し手の属性ごとの型が挙げられる。なお、本実施形態に係る話し方の型が、下記に示す属性に対応する型に限られないことは、言うまでもない。
・話し手の年齢、性別の一方または双方による型
・プレゼンテーションの上級者レベル、中級者レベル、初級者レベルのような、話し上手レベルによる型
・学者風、アナウンサー風など職種による型
・感じの良い、積極的、情熱的、カリスマ的など、話し手の印象による型
【００３４】
自動応答に関する設定として話し方の型の設定を受け付けた場合には、本実施形態に係る情報処理装置は、例えば、話し方に関するパラメータを、受け付けた話し方の型の設定に対応付けられている１または２以上のパラメータに変更させる。ここで、本実施形態に係る情報処理装置は、例えば、受け付けた話し方の型の設定に対応する、パラメータが記憶されたデータベース（またはテーブル）を参照することによって、受け付けた話し方の型の設定に対応する１または２以上のパラメータを特定する。
【００３５】
なお、話し方に関する設定には、複数の話し方の型の設定が含まれていてもよい。
【００３６】
話し方に関する設定に話し方の型の設定が複数含まれる場合には、本実施形態に係る情報処理装置は、受け付けた話し方の型の設定それぞれに対応付けられている１または２以上のパラメータのうちの対応するパラメータを、それぞれ混合する。本実施形態に係る情報処理装置は、例えば、対応するパラメータの算術平均や重み付け平均をとるなど、パラメータを混合することが可能な任意の演算を行うことによって、対応するパラメータを混合する。
【００３７】
そして、パラメータの混合が行われたときには、本実施形態に係る情報処理装置は、話し方に関するパラメータを、混合されたパラメータに変更させる。
【００３８】
また、例えば、話し方に関する設定には、上記の（Ａ）〜（Ｇ）に示す例や、設定された話し方の型に対応する各種パラメータの調整に関する調整値の設定が含まれていてもよい。
【００３９】
本実施形態に係る調整値の設定は、例えば、設定画面に含まれるスライドバーなどに対するユーザの操作によって行われる。調整値の設定がスライドバーにより行われる場合、例えば、スライドバーの中心の調整値の値が０（ゼロ）に設定される。スライドバーの中心位置から一方の方向にスライドされるとスライド量に応じた正の調整値が設定される。また、スライドバーの中心位置から他方の方向にスライドされるとスライド量に応じた負の調整値が設定される。なお、本実施形態に係る調整値の設定方法は、上記のようなスライドバーにより行われることに限られない。本実施形態に係る調整値は、例えば、調整値を直接入力する方法など、調整値を設定することが可能な任意の方法によって、設定されうる。
【００４０】
調整値の設定が行われた場合には、本実施形態に係る情報処理装置は、調整値によって、受け付けた話し方に関する設定に対応する話し方に関するパラメータを調整し、話し方に関するパラメータを、調整されたパラメータに変更させる。
【００４１】
ここで、本実施形態に係る調整値は、受け付けた話し方に関する設定に含まれる全ての設定に共通の調整値であってもよいし、受け付けた話し方に関する設定に含まれる設定ごとの調整値であってもよい。本実施形態に係る調整値が、受け付けた話し方に関する設定に含まれる設定ごとの調整値である場合には、受け付けた話し方に関する設定に含まれる設定ごとの調整値によって、話し方に関するパラメータをそれぞれ調整することが可能となる。
【００４２】
本実施形態に係る情報処理装置は、パラメータ設定制御処理において、話し方に関するパラメータを、例えば上記のような話し方に関する設定に対応する話し方に関するパラメータ（または、調整されたパラメータ）に変更させる。
【００４３】
ここで、例えば上記のような話し方に関する設定に対応する話し方に関するパラメータは、例えば、話し方の手本となるデータの解析により得られる。話し方の手本としては、例えば、上記（Ａ）〜（Ｆ）に示す各指標の基準となる話し手の話し方や、話し方の型の基準となる話し手の話し方が挙げられる。それぞれの基準となる話し手が話すことにより得られる音声データ（例えば、録音により得られる音声を示すデータ）や、画像データ（例えば話し手を撮像して得られた画像（動画像、または静止画像）を示すデータ）を、話し方の手本となるデータとし、当該データを任意の解析手法を用いて解析することによって、上記のような話し方に関する設定に対応する話し方に関するパラメータが得られる。
【００４４】
図２は、本実施形態に係る情報処理方法を説明するための説明図であり、本実施形態に係る話し方に関する設定に対応する話し方に関するパラメータの決定方法の一例を示している。
【００４５】
図２のＡに示すように、基準となる話し手に話しを行ってもらい、音声データ（例えば、録音により得られる音声を示すデータ）や、画像データ（例えば話し手を撮像して得られた画像を示すデータ）を得る。そして、図２のＢに示すように、得られた音声データや画像データを解析したデータが、本実施形態に係る話し方に関する設定に対応する話し方に関するパラメータとして、話し手ごとにデータベース（図２に示す「ＤＢ」）などに記録される。ここで、上記音声データや上記画像データの解析に係る処理や、データベースなどへの記録に係る処理は、本実施形態に係る情報処理装置により行われてもよいし、本実施形態に係る情報処理装置の外部装置により行われてもよい。
【００４６】
本実施形態に係る情報処理装置は、例えば上記のように話し方に関する設定に対応する話し方に関するパラメータが記憶されているデータベースなどを適宜参照することによって、受け付けた話し方に関する設定（自動応答に関する設定の一例）に対応するパラメータを特定する。
【００４７】
なお、本実施形態に係る話し方に関する設定に対応する話し方に関するパラメータの決定方法は、上記に示す例に限られない。例えば、本実施形態に係る話し方に関する設定に対応する話し方に関するパラメータは、本実施形態に係る情報処理装置の設計者などによって適宜決定されたパラメータであってもよい。
【００４８】
（１−２）話し方に関する設定、および自動応答の有効化、無効化に関する設定
自動応答に関する設定には、上記（１−１）に示す話し方に関する設定に加え、自動応答の有効化、無効化に関する設定がさらに含まれていてもよい。
【００４９】
自動応答の有効化、無効化に関する設定は、例えば、設定画面に含まれる、自動応答が有効な状態と無効な状態とを設定することが可能なチェックボックスなどに対するユーザの操作によって行われる。
【００５０】
自動応答の有効化、無効化に関する設定が上記チェックボックスにより行われる場合、本実施形態に係る情報処理装置は、例えば、上記チェックボックスが有効な状態を示すとき（自動応答の有効化、無効化に関する設定が、自動応答を有効化することを示すとき、または、自動応答を無効化することを示さないとき）に、話し方に関するパラメータを、受け付けた話し方に関する設定に対応する話し方に関するパラメータに変更させる。また、上記の場合、本実施形態に係る情報処理装置は、例えば、上記チェックボックスが無効な状態を示すとき（自動応答の有効化、無効化に関する設定が、自動応答を有効化することを示さないとき、または、自動応答を無効化することを示すとき）に、話し方に関するパラメータを、受け付けた話し方に関する設定に対応する話し方に関するパラメータに変更させない。
【００５１】
なお、自動応答の有効化、無効化に関する設定は、上記のような設定画面に対するユーザの操作によって行われることに限られない。
【００５２】
例えば、自動応答の有効化、無効化に関する設定は、ユーザの体の動きによって行われてもよい。
【００５３】
図３は、本実施形態に係る情報処理方法を説明するための説明図であり、自動応答の有効化、無効化に関する設定の他の例を示している。
【００５４】
本実施形態に係る情報処理装置は、例えば、ユーザが撮像された撮像画像に基づいて、ユーザの所定の動作を検出し、所定の動作が検出された場合に、自動応答の有効化、または無効化の設定を受け付ける。ここで、所定の動作としては、本実施形態に係る情報処理装置の設計者や、ユーザなどによって設定された動作が挙げられる。また、本実施形態に係る情報処理装置は、顔認証などの任意の認証技術を用いてユーザの認証を行い、ユーザが正常に認証された場合に、所定の動作に基づく自動応答の有効化、または無効化の設定を受け付けてもよい。
【００５５】
例えば上記のように、自動応答に関する設定に、自動応答の有効化、無効化に関する設定がさらに含まれることによって、ユーザは、本実施形態に係る情報処理方法に係る処理により実現される自動応答機能を、意図的にオン、オフすることが可能となる。
【００５６】
また、図３に示すように、本実施形態に係る情報処理装置が、ユーザの所定の動作によって自動応答の有効化、または無効化の設定を受け付けることによって、ユーザは、コミュニケーションの相手に悟られないように、自動応答機能を、意図的にオンまたはオフすることができる。
【００５７】
図４、図５は、本実施形態に係る情報処理方法を説明するための説明図であり、自動応答に関する設定を行うことが可能な設定画面の一例をそれぞれ示している。
【００５８】
図４は、“感じの良い”、“積極的”、“情熱的”、“カリスマ的”という４つの話し手の印象による型（話し方の型の一例）の設定を行うための設定画面の一例を示している。例えば図４に示す設定画面では、ユーザは、所望する話し手の印象による型を選択する。そして、本実施形態に係る情報処理装置は、選択された話し手の印象による型を受け付け、話し方に関するパラメータを、受け付けた話し方に関する設定に対応する話し方に関するパラメータに変更させる。
【００５９】
また、図４に示す設定画面において、複数の話し手の印象による型が選択された場合には、本実施形態に係る情報処理装置は、上述したように、受け付けた話し手の印象による型の設定それぞれに対応付けられている１または２以上のパラメータのうちの対応するパラメータを、それぞれ混合する。そして、本実施形態に係る情報処理装置は、話し方に関するパラメータを、混合されたパラメータに変更させる。
【００６０】
図５は、上記（Ｇ）に示す複数の設定の組み合わせに係る話し方に関する設定と、調整値の設定とが可能な設定画面の一例を示している。例えば図５に示す設定画面では、ユーザは、話し方に関する複数の設定のうちの、所望する設定に対応するチェックボックスを選択することによって、当該所望する設定に対応するチェックボックスをオン状態とさせる。そして、本実施形態に係る情報処理装置は、オン状態となったチェックボックスに対応する設定を受け付け、話し方に関するパラメータを、受け付けた話し方に関する設定に対応する話し方に関するパラメータに変更させる。
【００６１】
また、図５に示す設定画面において、スライドバーがユーザにより操作された場合には、スライドバーの位置に応じた調整値によってパラメータを調整し、話し方に関するパラメータを、調整されたパラメータに変更させる。ここで、図５に示す例では、例えば、スライドバーが“Ｍｏｒｅ”側に操作される程、パラメータがより大きくなるように調整され、また、スライドバーが“Ｌｅｓｓ”側に操作される程、パラメータがより小さくなるように調整される。
【００６２】
（２）実行処理
本実施形態に係る情報処理装置は、設定されているパラメータに基づいて、自動応答に関する処理を行う。本実施形態に係る情報処理装置は、自動応答に関する処理を行うことによって、ユーザの応答の仕方を、設定されているパラメータに対応する応答の仕方に変化させる。
【００６３】
図６は、本実施形態に係る情報処理方法を説明するための説明図であり、本実施形態に係る実行処理による応答の仕方の変化の一例を示している。図６では、上記（１）の処理（パラメータ設定制御処理）により、話し方に関するパラメータが、カリスマ的という話し手の印象による型に対応するパラメータに変更された場合における応答の仕方の変化の一例を示している。
【００６４】
本実施形態に係る実行処理が行われることによって、例えば図６に示すように、上記（１）の処理（パラメータ設定制御処理）により変更された自動応答に関する設定に対応するパラメータに対応する応答の仕方が実現される。
【００６５】
具体例を挙げると、本実施形態に係る情報処理装置は、例えば、“設定されているパラメータを用いて、話し手のユーザの音声データを加工すること”や、“設定されているパラメータを用いて、話し手のユーザが撮像された撮像画像を加工すること”、“設定されているパラメータを用いて、話し手のユーザに対応するアバターを生成すること”など、設定されているパラメータを用いた応答に関する任意の処理を行うことによって、ユーザの応答の仕方を、設定されているパラメータに対応する応答の仕方に変化させる。
【００６６】
（２−１）実行処理の第１の例
上記“設定されているパラメータを用いて、話し手のユーザが撮像された撮像画像を加工すること”を例に挙げて、具体的な処理の一例を示す。
【００６７】
図７は、本実施形態に係る情報処理方法を説明するための説明図であり、設定されているパラメータを用いて、話し手のユーザが撮像された撮像画像が加工される場合における実行処理の一例を示している。
【００６８】
本実施形態に係る情報処理装置は、例えば、ＲＧＢカメラによる撮像により取得されたＲＧＢ画像と、デプスカメラによる撮像により取得されたデプス画像とを統合し、話し手のユーザに係る環境の３次元形状を構築する（図７のＡ）。また、本実施形態に係る情報処理装置は、例えば、ユーザが存在しない状態における背景のモデルデータを、記録媒体などから取得する（図７のＢ）。上記ＲＧＢカメラやデプスカメラなどの撮像デバイスは、本実施形態に係る情報処理装置が備えていてもよいし、本実施形態に係る情報処理装置の外部の撮像デバイスであってもよい。
【００６９】
また、本実施形態に係る情報処理装置は、デプス画像から抽出されるスケルトンデータ（図７のＣ）と、設定されたパラメータとを用いて、構築した３次元形状を変更する。３次元形状を変更としては、例えば、話し手のユーザの背筋を伸ばす（図７のＤ）、話し手のユーザの足を伸ばすことなどにより背を高くする（図７のＥ）、ジェスチャを大げさにするなどが挙げられる。
【００７０】
３次元形状が構築されることによって、ユーザ含めた環境の総体を３次元モデルの集合体として扱うことが可能であるので、本実施形態に係る情報処理装置は、例えば、一般的なCGモデルと同様に、ソフトウェア上でありとあらゆる３次元形状の変化を実現させることができる。よって、本実施形態に係る情報処理装置は、例えば上記（Ｂ）〜（Ｇ）の設定などの上記（１）の処理（パラメータ設定制御処理）において受け付けられた設定に対応するパラメータに応じた、任意の視覚的な応答の仕方への変更を実現することができる。
【００７１】
また、例えば、話し手のユーザの目や口などのスプライト画像が記録媒体に記憶されている場合には、本実施形態に係る情報処理装置は、当該スプライト画像を話し手のユーザの適切な位置（目の位置や口の位置）に合成することによって、ユーザの視線方向や、まばたきの頻度、口の形状を、変更させることも可能である（図７のＦ）。
【００７２】
（２−２）実行処理の第２の例
“設定されているパラメータを用いて、話し手のユーザの音声データを加工すること”は、例えば、マイクロフォンにより集音された音声に対して、パラメータを用いた任意の音声処理を行うことによって、実現される。よって、本実施形態に係る情報処理装置は、例えば上記（Ａ）の設定などの上記（１）の処理（パラメータ設定制御処理）において受け付けられた設定に対応するパラメータに応じた、任意の音声による応答の仕方への変更を実現することができる。
【００７３】
（２−３）実行処理の第３の例
“設定されているパラメータを用いて、話し手のユーザに対応するアバターを生成すること”は、例えば、話し手のユーザに対応するアバターのモデルデータを、上記（１）の処理（パラメータ設定制御処理）において受け付けられた設定に対応するパラメータに応じて加工することによって、実現される。よって、本実施形態に係る情報処理装置は、例えば上記（Ｂ）〜（Ｇ）の設定などの上記（１）の処理（パラメータ設定制御処理）において受け付けられた設定に対応するパラメータに応じた、アバターを利用した任意の視覚的な応答の仕方への変更を実現することができる。
【００７４】
（２−４）実行処理の第４の例
本実施形態に係る情報処理装置は、例えば、上記第１の例に係る実行処理および上記第２の例に係る実行処理など、上記第１の例〜上記第３の例に係る処理の２以上を組み合わせた処理を行うことも可能である。
【００７５】
なお、本実施形態に係る実行処理は、上記第１の例〜上記第４の例に係る処理に限られない。例えば、本実施形態に係る情報処理装置は、コミュニケーションに関する心理学の知見を利用した任意の処理を行うことが可能である。
【００７６】
また、本実施形態に係る実行処理は、例えば下記の第５の例に係る実行処理や第６の例に係る実行処理に示すように、ユーザの応答の仕方の解析結果に基づいて自動応答に関する処理を開始するかをさらに判定し、自動応答に関する処理を開始すると判定された場合に、自動応答に関する処理を行うことも可能である。
【００７７】
（２−５）実行処理の第５の例
本実施形態に係る情報処理装置は、ユーザの所定の動作が検出された場合に、自動応答に関する処理を開始すると判定する。本実施形態に係る情報処理装置は、例えば、図３を参照して示したようにユーザが撮像された撮像画像に基づいてユーザの所定の動作を検出することや、ユーザの音声データに基づいてユーザの所定の発話（動作の一例）を検出することなどによって、ユーザの所定の動作を検出する。
【００７８】
ここで、所定の動作としては、本実施形態に係る情報処理装置の設計者や、ユーザなどによって設定された動作が挙げられる。また、本実施形態に係る情報処理装置は、顔認証などの任意の認証技術を用いてユーザの認証を行い、ユーザが正常に認証された場合に、自動応答に関する処理を開始すると判定してもよい。
【００７９】
そして、本実施形態に係る情報処理装置は、自動応答に関する処理を開始すると判定された場合に、自動応答に関する処理を行う。また、本実施形態に係る情報処理装置は、自動応答に関する処理を開始すると判定されない場合には、自動応答に関する処理を行わない。
【００８０】
（２−６）実行処理の第６の例
本実施形態に係る情報処理装置は、例えば、ユーザの応答の仕方の解析結果を示す値と、設定されている基準値との比較結果に基づいて、自動応答に関する処理を開始するかを判定する。
【００８１】
ここで、本実施形態に係る応答の仕方の解析結果を示す値としては、例えば、声のピッチや声の強弱、声の高低などの音声データの解析により得られる任意の値や、アイコンタクトの頻度やうなずきの頻度などの撮像により得られる画像データの解析により得られる任意の値が挙げられる。なお、本実施形態に係る応答の仕方の解析結果を示す値は、上記に示す例に限られず、任意の技術を用いて応答の仕方を解析して得られる値であってもよい。
【００８２】
また、本実施形態に係る基準値としては、例えば、“ユーザの過去の応答の仕方の解析結果に対応する値”や、“自動応答に関する処理の開始を判定するための設定されている閾値”が挙げられる。上記閾値は、予め設定されている固定値であってもよいし、ユーザの操作などによって適宜設定することが可能な可変値であってもよい。本実施形態に係る情報処理装置は、基準値を記憶している記録媒体から基準値を読み出すことなどによって、基準値を取得する。基準値を記憶している上記記録媒体は、本実施形態に係る情報処理装置が備えていてもよいし、本実施形態に係る情報処理装置の外部の記録媒体であってもよい。
【００８３】
基準値が、ユーザの過去の応答の仕方の解析結果に対応する値である場合、本実施形態に係る情報処理装置は、例えば、ユーザの応答の仕方の解析結果を示す値と基準値との差の絶対値が、設定されている閾値よりも大きい場合（または、当該絶対値が当該閾値以上である場合）に、自動応答に関する処理を開始すると判定する。上記絶対値との比較に係る閾値は、予め設定されている固定値であってもよいし、ユーザの操作などによって適宜設定することが可能な可変値であってもよい。
【００８４】
上記のように、ユーザの過去の応答の仕方の解析結果に対応する値が基準値とされることによって、ユーザは、例えば、意図的に通常よりも動作を変えることによって、自動応答を本実施形態に係る情報処理装置に開始させることができる。
【００８５】
また、基準値が、自動応答に関する処理の開始を判定するための設定されている閾値である場合、本実施形態に係る情報処理装置は、例えば、ユーザの応答の仕方の解析結果を示す値が基準値よりも大きい場合（または、ユーザの応答の仕方の解析結果を示す値が基準値以上である場合）に、自動応答に関する処理を開始すると判定する。
【００８６】
上記のように、自動応答に関する処理の開始を判定するための設定されている閾値が基準値とされることによって、本実施形態に係る情報処理装置は、例えば、ユーザの応答の仕方に係る能力のレベルに応じて、自動応答に関する処理を開始することができる。よって、ユーザは、自己の応答の仕方に係る能力のレベルを気にせずに、コミュニケーションの相手との間で、より円滑なコミュニケーションを図ることが可能となる。
【００８７】
本実施形態に係る情報処理装置は、本実施形態に係る情報処理方法に係る処理として、例えば上記（１）の処理（パラメータ設定制御処理）、および上記（２）の処理（実行処理）を行う。
【００８８】
ここで、本実施形態に係る情報処理装置は、上記（１）の処理（パラメータ設定制御処理）において、受け付けた自動応答に関する設定に対応するパラメータへのパラメータの変更を制御する。また、本実施形態に係る情報処理装置は、上記（２）の処理（実行処理）において、設定されているパラメータに基づいて、自動応答に関する処理を行う。よって、本実施形態に係る情報処理装置が、上記（１）の処理（パラメータ設定制御処理）、および上記（２）の処理（実行処理）を行うことによって、例えば図１を参照して示したように、設定されているパラメータに対応する応答の仕方が、自動応答により実現される。
【００８９】
したがって、本実施形態に係る情報処理装置は、例えば上記（１）の処理（パラメータ設定制御処理）、および上記（２）の処理（実行処理）を、本実施形態に係る情報処理方法に係る処理として行うことによって、非対面型のコミュニケーションにおいてより円滑な自動応答の実現を図ることができる。
【００９０】
また、本実施形態に係る情報処理方法により実現される自動応答は、例えば、ビジネスの場面における商談やプレゼンテーションの説得力を高めるための利用や、家族や友人などと話す際に、本当は集中していないのに相手の話に深く耳を傾けているように見せるための利用など、様々な状況に適用することができる。
【００９１】
なお、本実施形態に係る情報処理方法に係る処理は、上記（１）の処理（パラメータ設定制御処理）、および上記（２）の処理（実行処理）に限られない。
【００９２】
例えば、上述したように、上記（２）の処理（実行処理）は、本実施形態に係る情報処理装置の外部装置において行われてもよい。上記（２）の処理（実行処理）が外部装置において行われる場合であっても、上記（１）の処理（パラメータ設定制御処理）において、受け付けた自動応答に関する設定に対応するパラメータへのパラメータの変更が制御されることによって、非対面型のコミュニケーションにおいてより円滑な自動応答の実現を図ることができる。
【００９３】
また、“上記（１）の処理（パラメータ設定制御処理）”や、“上記（１）の処理（パラメータ設定制御処理）および上記（２）の処理（実行処理）”は、便宜上、本実施形態に係る情報処理方法に係る処理を切り分けたものである。よって、本実施形態に係る情報処理方法に係る処理は、例えば、“上記（１）の処理（パラメータ設定制御処理）”を、（任意の切り分け方によって）２以上の処理と捉えることが可能である。また、本実施形態に係る情報処理方法に係る処理は、例えば、“上記（１）の処理（パラメータ設定制御処理）および上記（２）の処理（実行処理）”を１つの処理と捉えることが可能であり、“上記（１）の処理（パラメータ設定制御処理）および上記（２）の処理（実行処理）”を、（任意の切り分け方によって）２以上の処理と捉えることも可能である。
【００９４】
（本実施形態に係る情報処理装置）
次に、上述した本実施形態に係る情報処理方法に係る処理を行うことが可能な本実施形態に係る情報処理装置の構成の一例について、説明する。以下では、本実施形態に係る情報処理方法に係る処理として、上記（１）の処理（パラメータ設定制御処理）および上記（２）の処理（実行処理）を行う、本実施形態に係る情報処理装置の構成の一例を示す。
【００９５】
図８は、本実施形態に係る情報処理装置１００の構成の一例を示すブロック図である。情報処理装置１００は、例えば、通信部１０２と、制御部１０４とを備える。
【００９６】
また、情報処理装置１００は、例えば、ＲＯＭ（Read  Only  Memory。図示せず）や、ＲＡＭ（Random  Access  Memory。図示せず）、記憶部（図示せず）、ユーザが操作可能な操作部（図示せず）、設定画面などの様々な画面を表示画面に表示する表示部（図示せず）などを備えていてもよい。情報処理装置１００は、例えば、データの伝送路としてのバスにより上記各構成要素間を接続する。
【００９７】
ＲＯＭ（図示せず）は、制御部１０４が使用するプログラムや演算パラメータなどの制御用データを記憶する。ＲＡＭ（図示せず）は、制御部１０４により実行されるプログラムなどを一時的に記憶する。
【００９８】
記憶部（図示せず）は、情報処理装置１００が備える記憶手段であり、例えば、自動応答に関する設定に対応するパラメータがそれぞれ記憶されている１または２以上のデータベースなどの本実施形態に係る情報処理方法に係るデータや、各種アプリケーションなど様々なデータを記憶する。ここで、記憶部（図示せず）としては、例えば、ハードディスク（Hard  Disk）などの磁気記録媒体や、フラッシュメモリ（flash  memory）などの不揮発性メモリ（nonvolatile  memory）などが挙げられる。また、記憶部（図示せず）は、情報処理装置１００から着脱可能であってもよい。
【００９９】
操作部（図示せず）としては、後述する操作入力デバイスが挙げられる。また、表示部（図示せず）としては、後述する表示デバイスが挙げられる。
【０１００】
［情報処理装置１００のハードウェア構成例］
図９は、本実施形態に係る情報処理装置１００のハードウェア構成の一例を示す説明図である。情報処理装置１００は、例えば、ＭＰＵ１５０と、ＲＯＭ１５２と、ＲＡＭ１５４と、記録媒体１５６と、入出力インタフェース１５８と、操作入力デバイス１６０と、表示デバイス１６２と、通信インタフェース１６４とを備える。また、情報処理装置１００は、例えば、データの伝送路としてのバス１６６で各構成要素間を接続する。
【０１０１】
ＭＰＵ１５０は、例えば、ＭＰＵ（Micro  Processing  Unit）などの演算回路で構成される、１または２以上のプロセッサや、各種処理回路などで構成され、情報処理装置１００全体を制御する制御部１０４として機能する。また、ＭＰＵ１５０は、情報処理装置１００において、例えば、後述するパラメータ制御部１１０、および処理部１１２の役目を果たす。なお、パラメータ制御部１１０、および処理部１１２の一方または双方は、各部の処理を実現可能な専用の（または汎用の）回路で構成されていてもよい。
【０１０２】
ＲＯＭ１５２は、ＭＰＵ１５０が使用するプログラムや演算パラメータなどの制御用データなどを記憶する。ＲＡＭ１５４は、例えば、ＭＰＵ１５０により実行されるプログラムなどを一時的に記憶する。
【０１０３】
記録媒体１５６は、記憶部（図示せず）として機能し、例えば、自動応答に関する設定に対応するパラメータがそれぞれ記憶されている１または２以上のデータベースなどの本実施形態に係る情報処理方法に係るデータや、各種アプリケーションなど様々なデータを記憶する。ここで、記録媒体１５６としては、例えば、ハードディスクなどの磁気記録媒体や、フラッシュメモリなどの不揮発性メモリが挙げられる。また、記録媒体１５６は、情報処理装置１００から着脱可能であってもよい。
【０１０４】
入出力インタフェース１５８は、例えば、操作入力デバイス１６０や、表示デバイス１６２を接続する。操作入力デバイス１６０は、操作部（図示せず）として機能し、また、表示デバイス１６２は、表示部（図示せず）として機能する。ここで、入出力インタフェース１５８としては、例えば、ＵＳＢ（Universal  Serial  Bus）端子や、ＤＶＩ（Digital  Visual  Interface）端子、ＨＤＭＩ（High-Definition  Multimedia  Interface）（登録商標）端子、各種処理回路などが挙げられる。
【０１０５】
また、操作入力デバイス１６０は、例えば、情報処理装置１００上に備えられ、情報処理装置１００の内部で入出力インタフェース１５８と接続される。操作入力デバイス１６０としては、例えば、ボタンや、方向キー、ジョグダイヤルなどの回転型セレクター、あるいは、これらの組み合わせなどが挙げられる。
【０１０６】
また、表示デバイス１６２は、例えば、情報処理装置１００上に備えられ、情報処理装置１００の内部で入出力インタフェース１５８と接続される。表示デバイス１６２としては、例えば、液晶ディスプレイ（Liquid  Crystal  Display）や有機ＥＬディスプレイ（Organic  Electro-Luminescence  Display。または、ＯＬＥＤディスプレイ（Organic  Light  Emitting  Diode  Display）ともよばれる。）などが挙げられる。
【０１０７】
なお、入出力インタフェース１５８が、情報処理装置１００の外部装置としての外部操作入力デバイス（例えば、キーボードやマウスなど）や外部表示デバイスなどの、外部デバイスと接続することも可能であることは、言うまでもない。また、表示デバイス１６２は、例えばタッチパネルなど、表示とユーザ操作とが可能なデバイスであってもよい。
【０１０８】
通信インタフェース１６４は、情報処理装置１００が備える通信手段であり、ネットワークを介して（あるいは、直接的に）、コミュニケーションの相手に対応する装置などの外部装置や、外部の撮像デバイスや外部のマイクロフォンなどの外部デバイスと、無線または有線で通信を行うための通信部１０２として機能する。ここで、通信インタフェース１６４としては、例えば、通信アンテナおよびＲＦ（Radio  Frequency）回路（無線通信）や、ＩＥＥＥ８０２．１５．１ポートおよび送受信回路（無線通信）、ＩＥＥＥ８０２．１１ポートおよび送受信回路（無線通信）、あるいはＬＡＮ（Local  Area  Network）端子および送受信回路（有線通信）などが挙げられる。また、本実施形態に係るネットワークとしては、例えば、ＬＡＮやＷＡＮ（Wide  Area  Network）などの有線ネットワーク、無線ＬＡＮ（ＷＬＡＮ：Wireless  Local  Area  Network）などの無線ネットワーク、あるいは、ＴＣＰ／ＩＰ（Transmission  Control  Protocol/Internet  Protocol）などの通信プロトコルを用いたインターネットなどが挙げられる。
【０１０９】
情報処理装置１００は、例えば図９に示す構成によって、本実施形態に係る情報処理方法に係る処理を行う。なお、本実施形態に係る情報処理装置１００のハードウェア構成は、図９に示す構成に限られない。
【０１１０】
例えば、情報処理装置１００は、接続されている外部の通信デバイスを介して外部装置などと通信を行う場合には、通信インタフェース１６４を備えていなくてもよい。
【０１１１】
また、情報処理装置１００は、例えば、撮像により撮像画像（動画像、または静止画像）を生成する撮像部（図示せず）として機能する撮像デバイスをさらに備えていてもよい。撮像デバイスを備える場合、情報処理装置１００は、例えば、当該撮像デバイスにより生成された撮像画像に対して、上記（２）の処理（実行処理）を行うことが可能である。
【０１１２】
撮像デバイスは、例えば、レンズ／撮像素子と信号処理回路とを含んで構成される。レンズ／撮像素子は、例えば、光学系のレンズと、ＣＭＯＳ（Complementary  Metal  Oxide  Semiconductor）などの撮像素子を複数用いたイメージセンサとで構成される。信号処理回路は、例えば、ＡＧＣ（Automatic  Gain  Control）回路やＡＤＣ（Analog  to  Digital  Converter）を備え、撮像素子により生成されたアナログ信号をデジタル信号（画像データ）に変換する。また、信号処理回路は、例えばＲＡＷ現像に係る各種処理を行う。さらに、信号処理回路は、例えば、Ｗｈｉｔｅ  Ｂａｌａｎｃｅ補正処理や、色調補正処理、ガンマ補正処理、ＹＣｂＣｒ変換処理、エッジ強調処理など各種信号処理を行ってもよい。
【０１１３】
また、情報処理装置１００は、例えば、マイクロフォンをさらに備えていてもよい。マイクロフォンを備える場合、情報処理装置１００は、例えば、当該マイクロフォン（または、当該マイクロフォンおよびＡＤＣ（Analog-to-Digital  Converter）により生成された音声データに対して、上記（２）の処理（実行処理）を行うことが可能である。
【０１１４】
また、情報処理装置１００は、例えば、記録媒体１５６や、操作入力デバイス１６０、表示デバイス１６２を備えない構成をとることが可能である。
【０１１５】
また、例えば、図９に示す構成（または変形例に係る構成）は、１、または２以上のＩＣ（Integrated  Circuit）で実現されてもよい。
【０１１６】
再度図８を参照して、情報処理装置１００の構成の一例について説明する。通信部１０２は、情報処理装置１００が備える通信手段であり、ネットワークを介して（あるいは、直接的に）、コミュニケーションの相手に対応する装置などの外部装置や、外部の撮像デバイスや外部のマイクロフォンなどの外部デバイスと無線または有線で通信を行う。また、通信部１０２は、例えば制御部１０４により通信が制御される。
【０１１７】
ここで、通信部１０２としては、例えば、通信アンテナおよびＲＦ回路や、ＬＡＮ端子および送受信回路などが挙げられるが、通信部１０２の構成は、上記に限られない。例えば、通信部１０２は、ＵＳＢ端子および送受信回路などの通信を行うことが可能な任意の規格に対応する構成や、ネットワークを介して外部装置と通信可能な任意の構成をとることができる。また、通信部１０２は、複数の通信方式によって、１または２以上の外部装置と通信を行うことが可能な構成であってもよい。
【０１１８】
制御部１０４は、例えばＭＰＵなどで構成され、情報処理装置１００全体を制御する役目を果たす。また、制御部１０４は、例えば、パラメータ制御部１１０と、処理部１１２とを備え、本実施形態に係る情報処理方法に係る処理を主導的に行う役目を果たす。
【０１１９】
パラメータ制御部１１０は、上記（１）の処理（パラメータ設定制御処理）を主導的に行う役目を果たし、自動応答に関する設定を受け付け、受け付けた自動応答に関する設定に対応するパラメータへのパラメータの変更を制御する。
【０１２０】
処理部１１２は、上記（２）の処理（実行処理）を主導的に行う役目を果たし、設定されているパラメータに基づいて、自動応答に関する処理を行う。処理部１１２は、例えば、上記（２−１）に示す第１の例に係る処理〜上記（２−６）に示す第６の例に係る処理を行う。
【０１２１】
図１０は、本実施形態に係る情報処理装置１００が備える処理部１１２における処理の一例を説明するためのブロック図である。図１０は、図１に示すようなテレビ電話によるコミュニケーションが行われる場合における処理部１１２の処理の一例を示しており、処理部１１２が、上記（２−１）に示す第１の例に係る実行処理および上記（２−２）に示す第２の例に係る実行処理とを組み合わせた処理を行う場合の処理の一例を示している。ここで、図１０に示すＲＧＢ画像は、ＲＧＢカメラによる撮像により取得され、デプス画像は、デプスカメラによる撮像により取得される。また、図１０に示す音声データは、マイクロフォンによる集音により取得される。
【０１２２】
処理部１１２は、例えば、スケルトン情報抽出部１２０と、３次元モデル生成部１２２と、３次元モデル変換部１２４と、音声加工部１２６と、合成部１２８とを有する。
【０１２３】
スケルトン情報抽出部１２０は、デプス画像からスケルトンデータを抽出する。３次元モデル生成部１２２は、例えば、ＲＧＢ画像と、デプスカメラによる撮像により取得されたデプス画像とを統合し、話し手のユーザに係る環境の３次元形状を構築する。そして、３次元モデル変換部１２４は、例えば、スケルトン情報抽出部１２０により抽出されたスケルトンデータと、設定されているパラメータとを用いて、３次元モデル生成部１２２により構築された話し手のユーザに係る環境の３次元形状を変更する。また、３次元モデル変換部１２４は、例えば、話し手のユーザに対応するスプライト画像を、話し手のユーザの適切な位置に合成するなど、３次元モデル生成部１２２により構築された話し手のユーザに係る環境の３次元形状に対する様々な処理を行うことが可能である。
【０１２４】
音声加工部１２６は、音声データに対して、パラメータを用いた任意の音声処理を行う。
【０１２５】
合成部１２８は、３次元モデル変換部１２４により処理された画像データと、音声加工部１２６により処理された音声データとを合成し、合成されたデータを、コミュニケーションの相手に対応する装置などの外部装置に対して送信するための送信データとする。送信データは、例えば制御部１０４によって、通信部１０２を介して上記外部装置に対して送信される。
【０１２６】
処理部１１２は、例えば図１０に示す処理を行うことによって、上記（２−１）に示す第１の例に係る実行処理および上記（２−２）に示す第２の例に係る実行処理とを組み合わせた処理を行う。
【０１２７】
なお、処理部１１２における処理の例は、図１０に示す例に限られない。例えば、上記（２−１）に示す第１の例に係る実行処理を行う場合には、処理部１１２は、音声加工部１２６、および合成部１２８に係る処理を行わない。また、上記（２−２）に示す第２の例に係る実行処理を行う場合には、処理部１１２は、スケルトン情報抽出部１２０、３次元モデル生成部１２２、３次元モデル変換部１２４、および合成部１２８に係る処理を行わない。処理部１１２は、行う処理内容に応じた処理を行うことが可能である。
【０１２８】
制御部１０４は、例えば、パラメータ制御部１１０、および処理部１１２を備えることによって、本実施形態に係る情報処理方法に係る処理を主導的に行う。
【０１２９】
情報処理装置１００は、例えば図８に示す構成によって、本実施形態に係る情報処理方法に係る処理（例えば、上記（１）の処理（パラメータ設定制御処理）および上記（２）の処理（実行処理））を行う。
【０１３０】
したがって、情報処理装置１００は、例えば図８に示す構成によって、非対面型のコミュニケーションにおいてより円滑な自動応答の実現を図ることができる。
【０１３１】
また、例えば図８に示す構成によって、情報処理装置１００は、例えば上述したような、本実施形態に係る情報処理方法に係る処理が行われることにより奏される効果を、奏することができる。
【０１３２】
なお、本実施形態に係る情報処理装置の構成は、図８に示す構成に限られない。
【０１３３】
例えば、本実施形態に係る情報処理装置は、図８に示すパラメータ制御部１１０、および処理部１１２の一方、または双方を、制御部１０４とは個別に備える（例えば、別の処理回路で実現する）ことができる。
【０１３４】
また、上述したように、“上記（１）の処理（パラメータ設定制御処理）および上記（２）の処理（実行処理）”は、便宜上、本実施形態に係る情報処理方法に係る処理を切り分けたものである。よって、本実施形態に係る情報処理方法に係る処理を実現するための構成は、図８に示すパラメータ制御部１１０、および処理部１１２に限られず、本実施形態に係る情報処理方法に係る処理の切り分け方に応じた構成をとることが可能である。
【０１３５】
また、例えば、通信部１０２と同様の機能、構成を有する外部の通信デバイスを介して外部装置と通信を行う場合には、本実施形態に係る情報処理装置は、通信部１０２を備えていなくてもよい。
【０１３６】
また、本実施形態に係る情報処理装置は、図８に示す処理部１１２を備えない構成をとることも可能である。処理部１１２を備えない構成をとる場合であっても、本実施形態に係る情報処理装置は、上記（１）の処理（パラメータ設定制御処理）を行うことが可能であるので、非対面型のコミュニケーションにおいてより円滑な自動応答の実現を図ることができる。
【０１３７】
以上、本実施形態として、情報処理装置を挙げて説明したが、本実施形態は、かかる形態に限られない。本実施形態は、例えば、ＰＣ（Personal  Computer）やサーバなどのコンピュータや、図１などに示すようなテレビ電話が可能な装置、携帯電話やスマートフォンなどの通信装置、タブレット型の装置など、非対面型のコミュニケーションに直接的または間接的に用いることが可能な様々な機器に適用することができる。また、本実施形態は、例えば、上記のような機器に組み込むことが可能な、処理ＩＣに適用することもできる。
【０１３８】
また、本実施形態に係る情報処理装置は、例えばクラウドコンピューティングなどのように、ネットワークへの接続（または各装置間の通信）を前提とした、１または２以上の装置からなるシステムに適用されてもよい。つまり、上述した本実施形態に係る情報処理装置は、例えば、複数の装置により本実施形態に係る情報処理方法に係る処理を行う情報処理システムとして実現することも可能である。
【０１３９】
（本実施形態に係るプログラム）
コンピュータを、本実施形態に係る情報処理装置として機能させるためのプログラム（例えば、“上記（１）の処理（パラメータ設定制御処理）”や、“上記（１）の処理（パラメータ設定制御処理）および上記（２）の処理（実行処理）”など、本実施形態に係る情報処理方法に係る処理を実行することが可能なプログラム）が、コンピュータにおいてプロセッサなどにより実行されることによって、非対面型のコミュニケーションにおいてより円滑な自動応答の実現を図ることができる。
【０１４０】
また、コンピュータを、本実施形態に係る情報処理装置として機能させるためのプログラムが、コンピュータにおいてプロセッサなどにより実行されることによって、上述した本実施形態に係る情報処理方法に係る処理によって奏される効果を、奏することができる。
【０１４１】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１４２】
例えば、上記では、コンピュータを、本実施形態に係る情報処理装置として機能させるためのプログラム（コンピュータプログラム）が提供されることを示したが、本実施形態は、さらに、上記プログラムを記憶させた記録媒体も併せて提供することができる。
【０１４３】
上述した構成は、本実施形態の一例を示すものであり、当然に、本開示の技術的範囲に属するものである。
【０１４４】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１４５】
なお、以下のような構成も本開示の技術的範囲に属する。
（１）
非対面型のコミュニケーションにおける自動応答に関する設定を受け付け、受け付けた前記自動応答に関する設定に対応するパラメータへのパラメータの変更を制御するパラメータ制御部を備える、情報処理装置。
（２）
前記自動応答に関する設定には、話し方に関する設定が含まれ、
前記パラメータ制御部は、話し方に関するパラメータを、受け付けた話し方に関する設定に対応する話し方に関するパラメータに変更させる、（１）に記載の情報処理装置。
（３）
前記話し方に関する設定には、声のピッチ、声の強弱、および声の高低のうちの１または２以上の設定が含まれる、（２）に記載の情報処理装置。
（４）
前記話し方に関する設定には、アイコンタクトの頻度の設定が含まれる、（２）、または（３）に記載の情報処理装置。
（５）
前記話し方に関する設定には、話し手の体型と話し手の姿勢との一方または双方の設定が含まれる、（２）〜（４）のいずれか１つに記載の情報処理装置。
（６）
前記話し方に関する設定には、ジェスチャの種類、ジェスチャの大きさ、ジェスチャが行われる速さのうちの、１または２以上の設定が含まれる、（２）〜（５）のいずれか１つに記載の情報処理装置。
（７）
前記話し方に関する設定には、口の開き方の設定が含まれる、（２）〜（６）のいずれか１つに記載の情報処理装置。
（８）
前記話し方に関する設定には、うなずきのタイミングとうなずきの頻度との一方または双方の設定が含まれる、（２）〜（７）のいずれか１つに記載の情報処理装置。
（９）
前記話し方に関する設定には、パラメータの調整に関する調整値の設定が含まれ、
前記パラメータ制御部は、前記調整値によってパラメータを調整し、話し方に関するパラメータを、調整されたパラメータに変更させる、（２）〜（８）のいずれか１つに記載の情報処理装置。
（１０）
前記話し方に関する設定には、話し方の型の設定が含まれ、
前記パラメータ制御部は、話し方に関するパラメータを、受け付けた前記話し方の型の設定に対応付けられている１または２以上のパラメータに変更させる、（２）〜（９）のいずれか１つに記載の情報処理装置。
（１１）
前記話し方の型は、話し手の属性ごとに設けられる、（１０）に記載の情報処理装置。
（１２）
前記話し方に関する設定に、前記話し方の型の設定が複数含まれる場合、
前記パラメータ制御部は、
受け付けた前記話し方の型の設定それぞれに対応付けられている１または２以上のパラメータのうちの対応するパラメータを、それぞれ混合し、
パラメータの混合が行われたときには、話し方に関するパラメータを、混合されたパラメータに変更させる、（１１）に記載の情報処理装置。
（１３）
前記自動応答に関する設定には、自動応答の有効化、無効化に関する設定がさらに含まれ、
前記パラメータ制御部は、前記自動応答の有効化、無効化に関する設定が、自動応答を有効化することを示さない場合、または、自動応答を無効化することを示す場合には、話し方に関するパラメータを、受け付けた話し方に関する設定に対応する話し方に関するパラメータに変更させない、（２）〜（１２）のいずれか１つに記載の情報処理装置。
（１４）
話し方に関する設定に対応する話し方に関するパラメータは、話し方の手本となるデータの解析により得られるパラメータである、（１）〜（１３）のいずれか１つに記載の情報処理装置。
（１５）
設定されているパラメータに基づいて、自動応答に関する処理を行う処理部をさらに備え、
前記処理部は、ユーザの応答の仕方を、設定されているパラメータに対応する応答の仕方に変化させる、（１）〜（１４）のいずれか１つに記載の情報処理装置。
（１６）
前記処理部は、前記ユーザの応答の仕方の解析結果に基づいて自動応答に関する処理を開始するかを判定し、自動応答に関する処理を開始すると判定された場合に、自動応答に関する処理を行う、（１５）に記載の情報処理装置。
（１７）
前記処理部は、前記ユーザの応答の仕方の解析結果を示す値と、設定されている基準値との比較結果に基づいて、自動応答に関する処理を開始するかを判定し、
前記基準値は、前記ユーザの過去の応答の仕方の解析結果に対応する値である、（１６）に記載の情報処理装置。
（１８）
前記処理部は、前記ユーザの応答の仕方の解析結果を示す値と、設定されている基準値との比較結果に基づいて、自動応答に関する処理を開始するかを判定し、
前記基準値は、前記自動応答に関する処理の開始を判定するための閾値である、（１６）に記載の情報処理装置。
（１９）
非対面型のコミュニケーションにおける自動応答に関する設定を受け付け、受け付けた前記自動応答に関する設定に対応するパラメータへのパラメータの変更を制御するステップを有する、情報処理装置により実行される情報処理方法。
（２０）
非対面型のコミュニケーションにおける自動応答に関する設定を受け付け、受け付けた前記自動応答に関する設定に対応するパラメータへのパラメータの変更を制御するステップをコンピュータに実行させるためのプログラム。
【符号の説明】
【０１４６】
１００    情報処理装置
１０２    通信部
１０４    制御部
１１０    パラメータ制御部
１１２    処理部
１２０    スケルトン情報抽出部
１２２    ３次元モデル生成部
１２４    ３次元モデル変換部
１２６    音声加工部
１２８    合成部
【図１】
2016134730.tif 000003
【図２】
2016134730.tif 000004
【図３】
2016134730.tif 000005
【図４】
2016134730.tif 000006
【図５】
2016134730.tif 000007
【図６】
2016134730.tif 000008
【図７】
2016134730.tif 000009
【図８】
2016134730.tif 000010
【図９】
2016134730.tif 000011
【図１０】
2016134730.tif 000012